(57)【要約】【課題】記録装置におけるトレー上の用紙の有無を検出する。【解決手段】記録媒体に記録を行うことにより記録物を形成する記録部と、記録物が置かれた場合に記録物により覆われる厚さ方向の貫通孔を有するトレーと、トレーの一方の面に対面する位置と、トレーの他方の面に対面する位置と、貫通孔内の位置と、のうちのいずれかの位置に配置され、所定の音量値を出力する音源と、トレーに記録物が置かれた状態で所定の音量値を出力した時に検出する音量値と、トレーに記録物が置かれない状態で所定の音量値を出力した時に検出する音量値と、が異なる値として検出可能な位置に配置される検出部と、検出された音量値に基づき、トレーに置かれた記録物の有無を判定する判定部と、を備える、記録装置。【選択図】図３
2017178537.tif 000002
【特許請求の範囲】
【請求項１】
記録媒体に記録を行うことにより記録物を形成する記録部と、
前記記録物が置かれた場合に前記記録物により覆われる厚さ方向の貫通孔を有するトレーと、
前記トレーの一方の面に対面する位置と、前記トレーの他方の面に対面する位置と、前記貫通孔内の位置と、のうちのいずれかの位置に配置され、所定の音量値を出力する音源と、
前記トレーに前記記録物が置かれた状態で前記所定の音量値を出力した時に検出する音量値と、前記トレーに前記記録物が置かれない状態で前記所定の音量値を出力した時に検出する音量値と、が異なる値として検出可能な位置に配置される検出部と、
検出された前記音量値に基づき、前記トレーに置かれた前記記録物の有無を判定する判定部と、
を備える、
記録装置。
【請求項２】
請求項１に記載の記録装置において、
前記検出部は、前記トレーの両面のうち前記音源と対面する面に対して対面する位置に配置される、
記録装置。
【請求項３】
請求項２に記載の記録装置において、
前記検出部と前記音源との間に配置される壁部を備える、
記録装置。
【請求項４】
請求項１から請求項３までのいずれか一項に記載の記録装置において、
前記音源は、前記トレーに置かれた前記記録物の有無の検出に利用される音とは異なる報知音を出力可能である、
記録装置。
【請求項５】
請求項１から請求項４までのいずれか一項に記載の記録装置において、
枚数判定部をさらに備え、
前記トレーには、複数の前記記録物が前記貫通孔を覆うように積層して置かれ、
前記音源は、前記音量値を段階的に増加させて音を出力し、
前記枚数判定部は、検出された前記音量値が所定の閾値に達するまでの間に、前記音源が前記音量値を増加させた回数情報を利用して、前記トレーに置かれた前記複数の前記記録物の数をカウントする、
記録装置。
【発明の詳細な説明】
【技術分野】
【０００１】
本発明は、記録装置に関する。
【背景技術】
【０００２】
印刷媒体上にインクを噴射してドットを形成することにより印刷を行う記録装置として、インクジェットプリンターが知られている。インクジェットプリンターは、印刷対象画像の画像データに基づき、印刷媒体に印刷対象画像を印刷して、印刷物を排紙トレー上に排出する。また、コピー機能を備える構成の複合機においては、原稿の読み取り後、読み取った原稿の画像データに基づき印刷を行い、印刷物を排紙トレー上に排出する。特許文献１には、光学式センサーを用いて排紙トレー上の用紙の有無を検出する技術が開示されている。かかる検出結果は、例えば、用紙の取り忘れ防止のための対策実行のために用いられる。
【先行技術文献】
【特許文献】
【０００３】
【特許文献１】特開２０１２−２２７９１５号公報
【発明の概要】
【発明が解決しようとする課題】
【０００４】
記録装置における用紙の取り忘れ防止等に利用するために、トレー上における用紙の有無を検出する技術については、なお一層の改善の余地があった。そこで、本発明は、従来とは異なる方法で記録装置のトレー上における用紙の有無を検出する技術を提供することを目的とする。
【課題を解決するための手段】
【０００５】
本発明は、上述の課題の少なくとも一部を解決するためになされたものであり、以下の形態として実現することが可能である。
【０００６】
（１）本発明の一実施形態によれば、記録装置が提供される。この記録装置は、記録媒体に記録を行うことにより記録物を形成する記録部と；前記記録物が置かれた場合に前記記録物により覆われる厚さ方向の貫通孔を有するトレーと；前記トレーの一方の面に対面する位置と、前記トレーの他方の面に対面する位置と、前記貫通孔内の位置と、のうちのいずれかの位置に配置され、所定の音量値を出力する音源と；前記トレーに前記記録物が置かれた状態で前記所定の音量値を出力した時に検出する音量値と、前記トレーに前記記録物が置かれない状態で前記所定の音量値を出力した時に検出する音量値と、が異なる値として検出可能な位置に配置される検出部と；検出された前記音量値に基づき、前記トレーに置かれた前記記録物の有無を判定する判定部と；を備える。
この形態の記録装置によれば、トレーは、記録物により覆われる貫通孔を有しており、音源は、トレーの一方の面に対面する位置と、他方の面に対面する位置と、貫通孔内の位置とのうちのいずれか１つの位置に配置され、検出部は、トレーに記録物が置かれた状態で検出する音量値と、トレーに記録物が置かれない状態で検出する音量値とが異なる値として検出可能な位置に配置されるので、トレー上における記録物の有無、すなわち、貫通孔が記録物に覆われるか否かに応じて、検出部により検出される音量値を変化させることができ、トレーに置かれた記録物（記録媒体）の有無を精度よく判定できる。また、かかる判定結果を利用することにより、トレーに置かれた記録物の取り忘れ防止の対策を実行できる。
【０００７】
（２）上記形態の記録装置において、前記検出部は、前記トレーの両面のうち前記音源と対面する面に対して対面する位置に配置されてもよい。この形態の記録装置によれば、検出部は、トレーの両面のうち音源と対面する面に対して対面する位置に配置されるので、検出部と音源とは互いに、トレーの両面のうちの同じ面と対面する面に配置される。このため、検出部と音源とがトレーに対して同じ側にまとめて配置されるので、検出部および音源と、トレーとをシンプルに構成でき、記録物を取り出しやすくできる。
【０００８】
（３）上記形態の記録装置において、前記検出部と前記音源との間に配置される壁部を備えてもよい。この形態の記録装置によれば、検出部と音源との間に壁部が配置されるので、音源の出力する音の伝播経路のうち、検出部までの直線的な経路を遮ることができる。このため、トレーに記録物が置かれた場合と置かれていない場合とで、検出部により検出される音量値を大きく異ならせることができ、トレーに置かれた記録物の有無を精度よく検出できる。
【０００９】
（４）上記形態の記録装置において、前記音源は、前記トレーに置かれた前記記録物の有無の検出に利用される音とは異なる報知音を出力可能であってもよい。この形態の記録装置によれば、トレーに置かれた記録物の有無の検出に用いる音源と、報知に用いる音源とを、共通化できるので、記録装置の製造コストを低減できる。また、記録装置の小型化を図れる。
【００１０】
（５）上記形態の記録装置において、枚数判定部をさらに備え；前記トレーには、複数の前記記録物が前記貫通孔を覆うように積層して置かれ；前記音源は、前記音量値を段階的に増加させて音を出力し；前記枚数判定部は、検出された前記音量値が所定の閾値に達するまでの間に、前記音源が前記音量値を増加させた回数情報を利用して、前記トレーに置かれた前記複数の前記記録物の数をカウントしてもよい。
この形態の記録装置によれば、音源は、音量値を段階的に増加させて音を出力するので、音量値を増加させた回数情報を利用することにより、トレーに積層して置かれた複数の記録物の数を精度よく検出できる。加えて、検出結果を利用することにより、トレーに置かれた記録物の取り忘れ防止の対策を実行できる。
【００１１】
本発明は、種々の形態で実現することも可能である。例えば、印刷装置、複合機、複写機、ファクシミリ、スキャナー等の形態で実現できる。また、記録装置に限られず、ドキュメントスキャナーや記録媒体の搬送装置など記録機能を有しない装置として実現できる。
【００１２】
上述した本発明の各形態の有する複数の構成要素はすべてが必須のものではなく、上述の課題の一部又は全部を解決するため、あるいは、本明細書に記載された効果の一部又は全部を達成するために、適宜、前記複数の構成要素の一部の構成要素について、その変更、削除、新たな他の構成要素との差し替え、限定内容の一部削除を行うことが可能である。また、上述の課題の一部又は全部を解決するため、あるいは、本明細書に記載された効果の一部又は全部を達成するために、上述した本発明の一形態に含まれる技術的特徴の一部又は全部を上述した本発明の他の形態に含まれる技術的特徴の一部又は全部と組み合わせて、本発明の独立した一形態とすることも可能である。
【図面の簡単な説明】
【００１３】
【図１】本発明の第１実施形態としての記録装置の外観図である。
【図２】記録装置の概略構成を示すブロック図である。
【図３】図１におけるＡ−Ａ断面を模式的に示す説明図である。
【図４】トレーに記録が置かれていない場合のトレーの露出部の上面を拡大して示す説明図である。
【図５】トレーに記録物が置かれていない場合の判定音の伝播の様子を模式的に示す説明図である。
【図６】トレーに記録物が置かれていない場合の入力レベルを示す説明図である。
【図７】トレーに記録物が置かれている場合の判定音の伝播の様子を模式的に示す説明図である。
【図８】トレーに記録物が置かれている場合の入力レベルを示す説明図である。
【図９】第１実施形態におけるカウント処理の処理手順を示すフローチャートである。
【図１０】カウント値とカウント処理において検出される入力レベルとの関係の一例を示す説明図である。
【図１１】第２実施形態における記録装置の断面を模式的に示す説明図である。
【図１２】第３実施形態における記録装置の断面を模式的に示す説明図である。
【図１３】トレーに記録物が置かれていない場合の判定音の伝播の様子を模式的に示す説明図である。
【図１４】トレーに記録物が置かれている場合の判定音の伝播の様子を模式的に示す説明図である。
【図１５】第４実施形態における記録装置の断面を模式的に示す説明図である。
【発明を実施するための形態】
【００１４】
Ａ．第１実施形態：
Ａ１．記録装置の構成：
図１は、本発明の第１実施形態としての記録装置２００の外観図である。記録装置２００は、記録媒体Ｐにインクを吐出することにより記録を行い、記録物を形成するインクジェットプリンターとして構成されている。図１では、使用時における記録装置２００を示している。記録装置２００は、操作パネル２５０と、トレー２６０とを記録装置２００の前方側（＋Ｙ方向に）に備えている。図１では、Ｚ軸は鉛直方向と平行に、Ｘ軸およびＹ軸は水平方向と平行に、それぞれ設定されている。＋Ｚ方向は鉛直上方に、−Ｚ方向は鉛直下方にそれぞれ相当する。また、Ｘ方向は後述の主走査方向Ｄ１に、Ｙ方向は後述の副走査方向Ｄ２に、それぞれ相当する。
【００１５】
操作パネル２５０は、記録装置２００に関する種々の操作を行うために用いられる。操作パネル２５０は、大型の液晶画面を備えており、記録装置２００の各種機能を利用する際のメニュー画面や、誤動作やエラー等をユーザーへ報知するための情報画面が表示される。記録装置２００は、操作パネル２５０に入力されたユーザーの指示に基づいて、制御される。上述の情報画面には、例えば、後述のトレー２６０に置かれる記録物Ｐの有無の検出結果が表示される。操作パネル２５０の角度は、Ｘ−Ｚ平面に対して０度から９０度までの間で調整できる。
【００１６】
トレー２６０は、記録後の記録媒体Ｐ（「記録物Ｐ」とも呼ぶ）が記録装置２００から排出されて一時的に置くために用いられる。記録媒体Ｐは、図示しない給紙トレー（後述の給紙トレー２９０）から給紙され、記録部（後述の記録部２３１）による記録後が行われた後、トレー２６０に排出されて置かれる。トレー２６０の前方（＋Ｙ方向）の一部は、露出している。以降の説明では、＋Ｙ方向においてトレー２６０の露出した部分を「トレー２６０の露出部」と呼ぶ。
【００１７】
図２は、記録装置２００の概略構成を示すブロック図である。記録装置２００は、上述の操作パネル２５０およびトレー２６０に加えて、供給ユニット２１０と、搬送ユニット２２０と、キャリッジ移動ユニット２４０と、キャリッジ２３０と、制御ユニット３００と、音源２７０と、検出部２８０と、を備える。記録装置２００は、印刷制御装置１００から入力された記録データに基づいて、供給ユニット２１０、搬送ユニット２２０、キャリッジ移動ユニット２４０およびキャリッジ２３０を制御し、記録媒体Ｐ上に記録データを記録する。図２において、キャリッジ２３０は、主走査方向Ｄ１に沿って往復移動し、記録媒体Ｐは、副走査方向Ｄ２の上流から下流に沿って搬送される。副走査方向Ｄ２は、主走査方向Ｄ１と交差する方向であり、本実施形態においては主走査方向Ｄ１と直交する方向である。
【００１８】
供給ユニット２１０は、制御ユニット３００からの制御信号に応じて、記録媒体Ｐを搬送ユニット２２０に供給する。本実施形態において、図示は省略するが、供給ユニット２１０は、給紙トレー（後述の給紙トレー２９０）に積層して収容された記録媒体Ｐを搬送ユニット２２０に供給する。
【００１９】
搬送ユニット２２０は、制御ユニット３００からの制御信号に応じて、搬送ローラー２２１を駆動することにより、供給ユニット２１０によって供給された記録媒体Ｐを副走査方向Ｄ２に沿って上流側から下流側へと搬送する。図示は省略するが、搬送ユニット２２０には、記録媒体Ｐの搬送量を検出する送り検出センサー、記録媒体Ｐの先端位置を検出する先端検出センサー等のセンサーが設けられている。制御ユニット３００は、これらのセンサーからの信号を参照し、搬送ユニット２２０の制御を行う。
【００２０】
キャリッジ移動ユニット２４０は、制御ユニット３００からの制御信号に応じて、キャリッジ２３０を主走査方向Ｄ１に沿って往復移動させる。キャリッジ移動ユニット２４０は、キャリッジガイド軸２４１と、図示しないキャリッジモーターと、を備える。キャリッジガイド軸２４１は、主走査方向Ｄ１に沿って配置され、両端部が記録装置２００の筐体に固定されている。キャリッジ２３０は、主走査方向Ｄ１に往復動可能にキャリッジガイド軸２４１に取り付けられている。キャリッジ移動ユニット２４０が制御ユニット３００からの制御信号に応じてキャリッジモーターを駆動すると、キャリッジ２３０はキャリッジガイド軸２４１に沿って往復移動する。また、図示は省略するが、キャリッジ移動ユニット２４０は、キャリッジ２３０の位置を検出するキャリッジ位置センサーを備える。制御ユニット３００は、キャリッジ位置センサーからの信号を参照し、キャリッジ２３０の移動量の制御を行う。
【００２１】
キャリッジ２３０には、記録部２３１が取り付けられている。記録部２３１は、図示しない印刷ヘッドを有し、制御ユニット３００からの制御信号に応じて、記録媒体Ｐに対してインク滴を吐出して画像を記録する。本実施形態では、記録装置２００は、いわゆるオフキャリッジタイプのプリンターであり、キャリッジ２３０とは異なる部位にインクカートリッジが設けられており、かかるインクカートリッジから記録部２３１にインクが供給される。
【００２２】
制御ユニット３００は、入出力インターフェイス３１０と、メモリー３２０と、ＣＰＵ３３０と、ユニット制御回路３４０と、を備える。入出力インターフェイス３１０は、印刷制御装置１００から受信した記録データをＣＰＵ３３０に送信する。メモリー３２０には、記録装置２００の動作を制御する制御プログラムが格納されている。ユニット制御回路３４０は、上述した供給ユニット２１０、搬送ユニット２２０およびキャリッジ移動ユニット２４０をそれぞれ制御する制御回路を備えており、ＣＰＵ３３０からの制御信号に応じて、各ユニットの動作を制御する。
【００２３】
ＣＰＵ３３０は、メモリー３２０に格納されている制御プログラムを展開して実行することにより、走査制御部３３１、記録制御部３３２、判定部３３３および枚数判定部３３４として機能する。
【００２４】
走査制御部３３１は、キャリッジ２３０の主走査動作および記録媒体Ｐの搬送動作を制御する。具体的には、走査制御部３３１は、キャリッジ２３０の主走査動作を制御するために、ユニット制御回路３４０に制御信号を送信することにより、キャリッジ移動ユニット２４０のキャリッジモーターを駆動し、キャリッジ２３０を主走査方向Ｄ１の記録開始位置まで移動する。また、走査制御部３３１は、記録媒体Ｐの搬送動作を制御するために、ユニット制御回路３４０に制御信号を送信することにより、給紙トレー（後述の給紙トレー２９０）から供給ユニット２１０に記録媒体Ｐを供給した後、供給ユニット２１０から搬送ユニット２２０に記録媒体Ｐを供給する。加えて、走査制御部３３１は、ユニット制御回路３４０に制御信号を送信することにより、搬送ユニット２２０の搬送モーターを駆動し、搬送モーターの動力が図示しない給紙ローラーおよび搬送ローラー２２１に伝達することにより、記録媒体Ｐを副走査方向Ｄ２の記録開始位置まで搬送する。
【００２５】
記録制御部３３２は、入出力インターフェイス３１０から入力される記録データに基づき記録部２３１を駆動させる制御信号を生成し、ユニット制御回路３４０を介して記録部２３１に送信する。ユニット制御回路３４０が記録制御部３３２からの制御信号に応じてキャリッジ移動ユニット２４０を制御することにより、記録部２３１により記録が実行される。より具体的には、上述した記録制御部３３２からの制御信号に応じた記録部２３１による記録媒体Ｐのドット形成処理と、走査制御部３３１からの制御信号に応じた搬送ユニット２２０による記録媒体Ｐの副走査方向Ｄ２への搬送処理と、走査制御部３３１からの制御信号に応じたキャリッジ移動ユニット２４０によるキャリッジ２３０の主走査方向Ｄ１への移動処理とが実行されることによって、記録媒体Ｐに画像が印刷される。
【００２６】
判定部３３３は、検出部２８０により検出された音源２７０の音量値に基づき、トレー２６０に置かれた記録物Ｐ（記録後の記録媒体Ｐ）の有無を判定する。本実施形態では、記録装置２００の電源をオフに設定する操作がなされると、電源の停止前に記録物Ｐの有無の判定が実行される。このタイミングに実行するのは、電源のオフ後にトレー２６０上の記録物Ｐが取り忘れられることを防止するためである。
【００２７】
枚数判定部３３４は、トレー２６０に置かれた記録物Ｐの数をカウントする。本実施形態では、ユーザーから複数の記録媒体Ｐへの印刷指示がなされると、記録物Ｐの数のカウント処理が実行される。
【００２８】
トレー２６０には、記録部２３１による記録後に副走査方向Ｄ２へと搬送された記録物Ｐが置かれる。トレー２６０は、厚さ方向の貫通孔４００を有する。貫通孔４００の平面視形状は、略矩形である。貫通孔４００の平面視の大きさは、記録装置２００で記録可能な記録媒体Ｐの最小サイズよりも小さい。貫通孔４００は、トレー２６０に記録物Ｐが置かれた場合に、記録物Ｐにより覆われる。
【００２９】
音源２７０は、トレー２６０における記録物Ｐの有無の判定に利用される音（以下、「判定音」と呼ぶ）と、エラー発生時等にエラーを報知するために利用される音（以下、「報知音」と呼ぶ）とを所定の音量値で出力する。判定音の音量値は、判定部３３３により指定される。判定部３３３は、環境音やノイズ音に比べて十分に大きな音量値を指定する。報知音は、紙詰まりや用紙切れなどのエラーが検出された後に、制御ユニット３００が有する図示しない主制御部が音源２７０を制御して出力される。本実施形態では、判定音および報知音は、いずれも可聴音（周波数２０Ｈｚ（ヘルツ）から２００００Ｈｚ（ヘルツ）の範囲の音）である。
【００３０】
検出部２８０は、音源２７０の出力する音の音量値を検出する。本実施形態において、検出部２８０は、判定音および報知音を検出可能なマイクにより構成されている。なお、検出可能な周波数の範囲は、２０Ｈｚ（ヘルツ）から２００００Ｈｚ（ヘルツ）の範囲に限らない。また、マイクに代えて、音波検出装置により構成されていてもよい。本実施形態では、検出部２８０は、判定部３３３からの検出指示を受信すると、検出を開始する。
【００３１】
Ａ２．トレー２６０、音源２７０および検出部２８０の配置：
図３は、図１におけるＡ−Ａ断面を模式的に示す説明図である。図３では、図２に示す一部の構成を省略している。図３に示すように、記録装置２００では、給紙トレー２９０から給紙された記録媒体Ｐは、搬送ローラー２２１により−Ｙ方向に搬送され、搬送ローラー２２１に沿って向きを変えて、記録部２３１に対面するように＋Ｙ方向へと搬送され、記録部２３１により記録が行われる。記録後の記録媒体Ｐ（記録物Ｐ）は、トレー２６０に排出され、トレー２６０に置かれる。
【００３２】
貫通孔４００は、トレー２６０の露出部に形成されている。図３に示すように、トレー２６０に記録物Ｐが置かれた場合、貫通孔４００の＋Ｚ方向は、記録物Ｐに覆われる。
【００３３】
操作パネル２５０は、トレー２６０の露出部において、トレー２６０の＋Ｚ方向の面に対面して配置されている。操作パネル２５０の裏面には、音源２７０が取り付けられている。音源２７０は、トレー２６０の一方の面（＋Ｚ方向の面）に対面して配置されている。図３に示すように、操作パネル２５０が所定の角度に開いた状態において、−Ｚ方向に音を出力可能となるように、音源２７０の姿勢が予め調整されている。
【００３４】
検出部２８０は、トレー２６０の露出部において、貫通孔４００内に配置されている。検出部２８０は、貫通孔４００内に収まるようにトレー２６０に接着されている。図３に示すように、音源２７０と、検出部２８０（貫通孔４００）とは、Ｚ軸に沿って一直線上に配置されている。
【００３５】
図４は、トレー２６０に記録物Ｐが置かれていない場合のトレー２６０の露出部の上面を拡大して示す説明図である。図４では、操作パネル２５０およびトレー２６０の−Ｙ方向側の図示を省略している。また、貫通孔４００を破線により示している。上述したように、音源２７０と、検出部２８０（貫通孔４００）とは、Ｚ軸に沿って一直線上に配置されている。したがって、＋Ｚ方向からトレー２６０を見ると、音源２７０、トレー２６０、貫通孔４００および検出部２８０が、＋Ｚ方向から−Ｚ方向にこの順番に配置されている。
【００３６】
Ａ３．トレー２６０に置かれた記録物Ｐの有無の判定：
図５は、トレー２６０に記録物Ｐが置かれていない場合の判定音の伝播の様子を模式的に示す説明図である。図５では、図３に示す断面のうち、トレー２６０の露出部を中心として拡大して示している。音源２７０が出力する判定音は、破線により模式的に示している。貫通孔４００においては、音源２７０と検出部２８０との間に判定音を遮るものがないので、判定音は、音源２７０から検出部２８０に向かって伝播する。したがって、検出部２８０は、音源２７０の出力する判定音の音量値として比較的大きな音を検出する。貫通孔４００に向かう判定音以外のトレー２６０に向かう判定音は、トレー２６０の＋Ｚ方向の面にぶつかると、＋Ｚ側へ反射する。
【００３７】
図６は、トレー２６０に記録物Ｐが置かれていない場合の入力レベルを示す説明図である。図６において縦軸は、入力レベルを示し、横軸は、判定時間を示す。本実施形態において「入力レベル」とは、検出部２８０により検出される（入力される）判定音の音量値を表わす。上述したように、トレー２６０に記録物Ｐが置かれていない場合、音源２７０の出力する音は、検出部２８０まで伝播する。したがって、検出部２８０は、比較的高い入力レベルを検出する。図６の例では、入力レベルＡ１が検出されている。この入力レベルＡ１は、閾値ｔｈよりも高い。本実施形態では、「閾値ｔｈ」は、トレー２６０に記録物Ｐが置かれている場合に検出されると予測される音量値よりも若干高い値に設定されている。制御ユニット３００には、このような閾値ｔｈが予め設定されている。閾値ｔｈは、記録物Ｐが置かれている場合と置かれていない場合との入力レベルをそれぞれ実験により求め、これらの値との間の値として設定してもよい。図６に示す例では、入力レベルＡ１は、閾値ｔｈよりも高いので、判定部３３３は、トレー２６０に記録物Ｐが置かれていないと判定する。
【００３８】
図７は、トレー２６０に記録物Ｐが置かれている場合の判定音の伝播の様子を模式的に示す説明図である。図７では、図５と同様に、図３に示す断面のうち、トレー２６０の露出部を中心として拡大して示している。音源２７０が出力する判定音は、破線により模式的に示している。トレー２６０に記録物Ｐが置かれている場合、図５に示す例とは異なり、貫通孔４００の＋Ｚ方向は、記録物Ｐに覆われている。したがって、音源２７０が出力する判定音のうちの大部分は、記録物Ｐに遮られ、＋Ｚ側へ反射する。ただし、判定音の一部は、記録物Ｐを伝達媒体として検出部２８０側へと伝播する。したがって、貫通孔４００において、音源２７０と検出部２８０との間に記録物Ｐが置かれることによって、検出部２８０には、音源２７０の判定音は、音源２７０が出力する際の音量値より小さい音量値で伝播する。
【００３９】
図８は、トレー２６０に記録物Ｐが置かれている場合の入力レベルを示す説明図である。図８において縦軸は、入力レベルを示し、横軸は、判定時間を示す。トレー２６０に記録物Ｐが置かれている場合、検出部２８０は、比較的低い入力レベルを検出する。図８の例では、上述の入力レベルＡ１よりも低い入力レベルＡ２が検出されている。この入力レベルＡ２は、閾値ｔｈよりも低い。したがって、判定部３３３は、トレー２６０に記録物Ｐが置かれていると判定する。
【００４０】
このような記録物Ｐの有無の判定結果は、記録装置２００におけるトレー２６０に置かれた記録物Ｐの取り忘れ防止の対策に用いられる。例えば、判定結果を操作パネル２５０に表示し、トレー２６０上の記録物Ｐを取り忘れていることをユーザーに報知する。
【００４１】
Ａ４．トレー２６０に置かれた記録物Ｐの数のカウント処理：
記録装置２００は、複数の記録媒体Ｐに連続して記録可能に構成されている。ユーザーが印刷対象画像の複数枚の印刷を指示すると、一枚の記録媒体Ｐに記録が行われ、記録後の記録媒体Ｐ（記録物Ｐ）がトレー２６０に排出される。そして、新たな一枚の記録媒体Ｐが給紙され、記録が行われた後、先にトレー２６０に排出された記録物Ｐに積層して記録物Ｐが置かれる。このような動作を繰り返して、複数の記録媒体Ｐへの記録が実行される。
【００４２】
図９は、第１実施形態におけるカウント処理の処理手順を示すフローチャートである。記録装置２００では、上述したトレー２６０上の記録物Ｐの有無の判定とは別に、トレー２６０に積層して置かれる記録物Ｐの数のカウント処理（以下、「カウント処理」と呼ぶ）が実行される。ユーザーから複数の記録媒体Ｐへの印刷指示がなされると、カウント処理が実行される。枚数判定部３３４は、カウント値ｋを１に設定する（ステップＳ１００）。カウント値ｋは、記録物Ｐの数を算出するために用いられる。音源２７０は第１段階の音量値で判定音を出力する（ステップＳ１０５）。検出部２８０は、音源２７０の音量値を検出する（ステップＳ１１０）。枚数判定部３３４は、検出部２８０により検出された音量値は閾値ｔｈより小さいか否かを判定する（ステップＳ１１５）。閾値ｔｈは、上述したトレー２６０上の記録物Ｐの有無の判定に用いられる閾値ｔｈと同じである。
【００４３】
検出された音量値が閾値ｔｈより小さいと判定された場合（ステップＳ１１５：ＹＥＳ）、枚数判定部３３４は、カウント値ｋに１を加算する（ステップＳ１２０）。また、音源２７０の音量値を所定の値だけ大きく設定し、音源２７０は変更された音量値の判定音を出力する（ステップＳ１２５）。上述の所定の値、すなわち、ステップＳ１２５において音量値を増加する際のその増加量は、一枚の記録物Ｐの有無による検出される音量の差に相当する音量である。かかる音量は、予め実験により一枚の記録物Ｐが有る場合と無い場合とで音量（入力レベル）を測定し、これら測定値の差分として求めて設定してもよい。
【００４４】
ステップＳ１２５の実行後、枚数判定部３３４は、ステップＳ１１０に戻って、検出部２８０は、音源２７０の音量値を検出する。一方、検出された音量値が閾値ｔｈよりも小さくない、すなわち閾値ｔｈ以上と判定された場合（ステップＳ１１５：ＮＯ）、カウント値ｋに応じた値を記録物Ｐの数として算出する（ステップＳ１３０）。算出された記録物Ｐの数は、例えば、トレー２６０に置かれている記録物Ｐのうち、他人が印刷した記録物Ｐを誤って持って行かないようにするために、記録を実行したユーザー名とともに操作パネル２５０に表示される。
【００４５】
図１０は、カウント値ｋとカウント処理において検出される入力レベルとの関係の一例を示す説明図である。図１０において、縦軸はステップＳ１１０で検出される入力レベルを示し、横軸はカウント値ｋを示す。なお、図１０では、カウント値ｋに対して、ステップＳ１１０の実行回数（判定回数）を併記している。
【００４６】
１回目の判定では、検出部２８０により検出される入力レベルは、閾値ｔｈよりも小さい。２回目の判定では、音源２７０の音量値は、１回目の判定時に比べて所定の値だけ増加しているので、検出される入力レベルは、１回目の判定時より大きくなっている。しかし、その入力レベルは、閾値ｔｈよりも小さいため、２回目の判定においても「閾値ｔｈよりも小さい」と判定される。３回目の判定では、２回目の判定時と同様に、検出される入力レベルは、２回目の判定時よりも大きいが、閾値ｔｈよりも小さいため、「閾値ｔｈよりも小さい」と判定される。４回目の判定では、検出される入力レベルは閾値ｔｈと略一致しているため、「検出される入力レベルは閾値ｔｈよりも小さくない」と判定されることとなる。このとき、カウント値ｋは、「４」であり、トレー２６０上に置かれた記録物Ｐの数と一致する。本実施形態では、ステップＳ１３０では、ステップＳ１３０が実行される際のカウント値ｋを、トレー２６０上に置かれた記録物Ｐの数として算出する。カウント値ｋの値は、音量値を増加させた回数に一致する。ステップＳ１１５（判定）が実行されるたびに音量値は段階的に増加するので、音量値を増加させた回数は、ステップＳ１１５の実行回数（判定を行った回数）に一致する。したがって、カウント値ｋの値は、音量値の増加回数に一致するとともに、ステップＳ１１５の実行回数に一致するとも言える。
【００４７】
以上説明した、第１実施形態の記録装置２００によれば、トレー２６０は、記録後の記録媒体Ｐ（記録物Ｐ）により覆われる貫通孔４００を有しており、トレー２６０の一方の面に対面して音源２７０が配置され、貫通孔４００内に検出部２８０が配置されているので、貫通孔４００が記録物Ｐに覆われるか否かに応じて、検出部２８０により検出される音量値を変化させることができ、トレー２６０に置かれた記録物Ｐの有無を精度よく検出できる。また、複数の記録媒体Ｐに記録を行う場合において、音源２７０は、音量値を段階的に増加させて音を出力するので、音量値を増加させた回数情報を利用することにより、トレー２６０に積層して置かれた複数の記録物Ｐの数を精度よく検出できる。これらの検出結果を利用することにより、トレーに置かれた記録物Ｐの取り忘れ防止の対策を実行できる。さらに、トレー２６０に置かれた記録物Ｐの有無の検出に用いる音源と、報知に用いる音源とを、共通化できるので、記録装置の製造コストを低減できる。
【００４８】
Ｂ．第２実施形態：
図１１は、第２実施形態における記録装置２００ａの断面を模式的に示す説明図である。図１１では、図１に示すＡ−Ａ断面と同様な位置での断面を示している。第２実施形態の記録装置２００ａは、トレー２６０に代えてトレー２６０ａを備えている点において、第１実施形態の記録装置２００と異なる。第２実施形態の記録装置２００ａにおけるその他の構成は、第１実施形態の記録装置２００と同じであるので、同一の構成要素には同一の符号を付し、その詳細な説明は省略する。
【００４９】
第２実施形態のトレー２６０ａは、貫通孔４００の形成位置において、第１実施形態のトレー２６０と異なる。具体的には、トレー２６０ａにおいて貫通孔４００は、記録装置２００ａの筐体内部に位置する部分に形成されている。このため、貫通孔４００は、音源２７０の−Ｚ方向には位置しておらず、貫通孔４００は、音源２７０に対して、−Ｚ方向かつ−Ｙ方向に位置している。
【００５０】
以上の構成を有する第２実施形態の記録装置２００ａは、第１実施形態の記録装置２００と同様な効果を有する。加えて、貫通孔４００は、トレー２６０ａにおいて記録装置２００ａの筐体内部に位置する部分に形成されている。また、検出部２８０は、第１実施形態と同様に貫通孔４００内に配置されている。したがって、検出部２８０は、第１実施形態と比べて音源２７０の音量値をより精度よく検出できる。
【００５１】
Ｃ．第３実施形態：
図１２は、第３実施形態における記録装置２００ｂの断面を模式的に示す説明図である。図１３では、図１に示すＡ−Ａ断面と同様な位置での断面を示している。第３実施形態の記録装置２００ｂは、トレー２６０に代えてトレー２６０ｂを備えている点と、貫通孔４００に代えて貫通孔４００ｂを備えている点と、壁部４１０を追加して備えている点と、音源２７０と検出部２８０の配置位置とにおいて、第１実施形態の記録装置２００と異なる。第３実施形態の記録装置２００ｂにおけるその他の構成は、第１実施形態の記録装置２００と同じであるので、同一の構成要素には同一の符号を付し、その詳細な説明は省略する。
【００５２】
第３実施形態のトレー２６０ｂは、貫通孔４００に代えて貫通孔４００ｂが形成されている点において、第１実施形態のトレー２６０と異なる。トレー２６０ｂにおいて貫通孔４００ｂは、第２実施形態と同様に、トレー２６０ｂにおいて記録装置２００ｂの筐体内部に位置する部分に形成されている。また、貫通孔４００ｂの大きさは、貫通孔４００よりも大きい。第３実施形態の音源２７０は、貫通孔４００ｂの−Ｙ方向側において、トレー２６０ｂの−Ｚ方向の面と対面する位置に配置されている。より具体的には、給紙トレー２９０の＋Ｚ方向の表面上に配置されている。第３実施形態の検出部２８０は、貫通孔４００ｂの＋Ｙ方向側において、トレー２６０ｂの−Ｚ方向の面と対面する位置に配置されている。より具体的には、給紙トレー２９０の＋Ｚ方向の表面上に配置されている。すなわち、検出部２８０は、トレー２６０ｂの両面のうち、音源２７０と対面する面に対して対面する位置に配置されている。さらに、音源２７０と検出部２８０との間には、壁部４１０が配置されている。壁部４１０は、音源２７０から検出部２８０までの判定音の伝播経路のうち、＋Ｙ方向の直線的な経路を遮ることを目的としている。
【００５３】
図１３は、トレー２６０ｂに記録物Ｐが置かれていない場合の判定音の伝播の様子を模式的に示す説明図である。図１３では、図１２に示す断面のうち、トレー２６０ｂの貫通孔４００ｂを中心として拡大して示している。音源２７０が出力する判定音は、破線により模式的に示している。音源２７０が出力する判定音は、貫通孔４００ｂに向かって（＋Ｚ方向かつ＋Ｙ方向）および壁部４１０に向かって（＋Ｙ方向）に伝播している。図１３に示すように、貫通孔４００ｂ方向に伝播している音は、貫通孔４００ｂを通して、さらに＋Ｚ方向側へも伝播している。また、壁部４１０方向に伝播している音は、壁部４１０の−Ｙ方向の面にぶつかると、−Ｙ方向へ反射する。このように音源２７０から出力される判定音は、壁部４１０により＋Ｙ方向への伝播を遮られるので、検出部２８０で検出される音量値は、壁部４１０がない構成に比べて小さくなる。したがって、検出部２８０は、トレー２６０ｂに記録物Ｐが置かれていない場合と比べて小さい音量値を検出することとなる。
【００５４】
図１４は、トレー２６０ｂに記録物Ｐが置かれている場合の判定音の伝播の様子を模式的に示す説明図である。図１４では、図１２に示す断面のうち、トレー２６０ｂの貫通孔４００ｂを中心として拡大して示している。音源２７０が出力する判定音は、破線により模式的に示している。音源２７０が出力する音は、破線で示すように、図１３と同様に伝播する。しかし、トレー２６０ｂに記録物Ｐが置かれている場合は、図１３に示した例と異なり、図１４に示すように、貫通孔４００ｂの＋Ｚ方向は、記録物Ｐにより覆われている。したがって、貫通孔４００ｂに向かって伝播している判定音は、記録物Ｐにぶつかることによって、−Ｚ方向かつ＋Ｙ方向に反射し、検出部２８０に向かって伝播することになる。このため、検出部２８０により検出される音量値は、トレー２６０ｂに記録物Ｐが置かれていない場合に検出される音量値に比べて大きい。したがって、判定部３３３は、検出した音量値に基づいて、トレー２６０ｂに置かれた記録物Ｐの有無を判定できる。
【００５５】
以上の構成を有する第３実施形態の記録装置２００ｂでは、検出部２８０と音源２７０とはいずれも、トレー２６０ｂの両面のうち−Ｚ方向側の面に対面する位置に配置されているので、第１実施形態と比べて環境音やノイズ音の検出を抑制でき、音源２７０の音量値をより精度よく検出できる。また、検出部２８０と音源２７０との間に壁部４１０が配置されているので、音源２７０の出力する判定音の伝播経路のうち、検出部２８０までの直線的な経路を遮ることができる。このため、トレー２６０ｂに記録物Ｐが置かれた場合と置かれていない場合とで検出される音量値を大きく異ならせることができ、トレー２６０ｂに置かれた記録物Ｐの有無を精度よく検出できる。
【００５６】
Ｄ．第４実施形態：
図１５は、第４実施形態における記録装置２００ｃの断面を模式的に示す説明図である。図１５では、図１に示すＡ−Ａ断面と同様な位置での断面を示している。第４実施形態の記録装置２００ｃは、検出部２８０の配置位置において、第２実施形態の記録装置２００ａと異なる。第４実施形態の記録装置２００ｃにおけるその他の構成は、第２実施形態の記録装置２００ａと同じであるので、同一の構成要素には同一の符号を付し、その詳細な説明は省略する。
【００５７】
第４実施形態の検出部２８０は、貫通孔４００の−Ｚ方向側において、トレー２６０ａの−Ｚ方向の面と対面する位置に配置されている。より具体的には、給紙トレー２９０の＋Ｚ方向の表面上に配置されている。また、図１２に示す第３実施形態の記録装置２００ｂと異なり、また、図３に示す第１実施形態の記録装置２００ａと同様に、音源２７０は、操作パネル２５０の裏面、すなわち、トレー２６０ａの一方の面（＋Ｚ方向の面）に対面して配置されている。このため、貫通孔４００は、音源２７０の出力する判定音の伝播経路として利用できる。より具体的には、トレー２６０ａに記録物Ｐが置かれていない場合には、判定音の一部は貫通孔４００を通って検出部２８０へと伝播する。トレー２６０ａに記録物Ｐが置かれている場合には、判定音の大部分は、記録物Ｐにより＋Ｚ方向側へ反射する。
【００５８】
以上の構成を有する第４実施形態の記録装置２００ｃは、第２実施形態の記録装置２００ａと同様な効果を有する。加えて、貫通孔４００は、音源２７０の出力する判定音を検出部２８０へ伝播させるために用いられる。このため、トレー２６０ａ上に記録物Ｐが置かれている場合と置かれていない場合とで、検出部２８０の入力レベルを大きく異ならせることができるので、トレー２６０ａ上の記録物Ｐの有無を精度よく検出できる。
【００５９】
Ｅ．変形例：
Ｅ１．変形例１：
上記各実施形態では、貫通孔４００および４００ｂの平面視形状は矩形であったが、本発明はこれに限定されない。例えば、円形や六角形等、任意の形状であってもよい。また、貫通孔の数は、一つに限られない。例えば、小さな貫通孔を複数形成してもよい。これらの構成においても、各実施形態と同様の効果を奏する。
【００６０】
Ｅ２．変形例２：
上記各実施形態では、枚数判定部３３４がカウント処理を実行していたが、本発明はこれに限定されない。例えば、判定部３３３がカウント処理を実行してもよい。この場合、判定部３３３は、トレー２６０に置かれた記録物Ｐの有無を判定するとともに、カウント処理を実行する。このような構成においても、各実施形態と同様の効果を奏する。
【００６１】
Ｅ３．変形例３：
上記各実施形態では、記録媒体Ｐは給紙トレー２９０から供給されていたが、本発明はこれに限定されない。例えば、記録装置２００、２００ａ、２００ｂおよび２００ｃの背面上部（−Ｙ方向かつ＋Ｚ方向）に給紙口を有する構成にあっては、かかる給紙口から記録媒体Ｐが供給される構成であってもよい。また、記録媒体Ｐとしてロール紙を用いてもよい。これらの構成においても、各実施形態と同様の効果を奏する。
【００６２】
Ｅ４．変形例４：
上記各実施形態において、音源２７０の位置と、検出部２８０との位置を逆にしてもよい。このような構成においても各実施形態と同様の効果を奏する。
【００６３】
また、例えば、トレー２６０の＋Ｚ方向の面に対面する位置に音源２７０と検出部２８０とがそれぞれ配置されてもよい。この場合、第３実施形態と同様の効果を奏する。また、貫通孔４００内に音源２７０が配置され、トレー２６０の−Ｚ方向の面に対面する位置に検出部２８０が配置されてもよい。この場合、第１実施形態および第２実施形態と同様の効果を奏する。貫通孔４００内に検出部２８０が配置され、トレー２６０の−Ｚ方向の面に対面する位置に音源２７０が配置されてもよい。この場合、この場合、第１実施形態および第２実施形態と同様の効果を奏する。
【００６４】
また、トレー２６０には複数の貫通孔４００が形成されており、第１の貫通孔４００内に音源２７０が配置され、第２の貫通孔４００内に検出部２８０が配置されてもよい。この場合、トレー２６０に記録物Ｐが置かれている場合には、判定音は、記録物Ｐを伝達媒体として検出部２８０へと伝播するので、トレー２６０に記録物Ｐが置かれている場合と置かれていない場合とで、検出部２８０により検出される判定音の音量値を大きく異ならせることができ、トレー２６０に置かれた記録物Ｐの有無を精度よく検出できる。
【００６５】
すなわち、一般には、音源２７０は、トレー２６０の一方の面に対面する位置と、トレー２６０の他方の面に対面する位置と、貫通孔４００内の位置と、のうちのいずれかの位置に配置され、検出部２８０は、トレー２６０に記録物Ｐが置かれた状態と置かれていない状態とで検出する音量値を異なる値として検出可能な位置に配置される構成において、各実施形態と同様の効果を奏する。
【００６６】
Ｅ５．変形例５：
貫通孔４００および４００ｂは、トレー２６０において任意の場所に形成されてもよい。たとえば、記録装置２００で記録可能な最小サイズの記録物Ｐをトレー２６０上に排出した場合に、記録物Ｐにより覆われる位置であれば任意の位置に形成してもよい。このような構成においても、各実施形態と同様の効果を奏する。
【００６７】
Ｅ６．変形例６：
上記各実施形態では、記録物Ｐの有無の検出結果および記録物Ｐの数の検出結果を操作パネル２５０に表示していたが、本発明はこれに限定されない。例えば、メモリー３２０にログとして保存し、かかるログ情報を電子メールで管理者に送信してもよい。この場合、管理者から各ユーザーに対して取り忘れ防止の注意喚起をすることができる。加えて、ユーザーごとの記録媒体Ｐの使用率も把握できる。このような構成においても、各実施形態と同様の効果を奏する。
【００６８】
Ｅ７．変形例７：
上記各実施形態では、記録装置２００は、オンキャリッジタイプのインクジェットプリンターであったが、本発明はこれに限定されない。例えば、オフキャリッジタイプのインクジェットプリンターであってもよいし、インクカートリッジに代えて、インクタンクを用いてもよい。また、ノズルから吐出される液体は、インク以外の他の液体であってもよい。例えば、
（１）液晶ディスプレー等の画像表示装置用のカラーフィルタの製造に用いられる色材
（２）有機ＥＬ(Electro  Luminescence)ディスプレーや、面発光ディスプレー(Field  Emission  Display、ＦＥＤ)等の電極形成に用いられる電極材
（３）バイオチップ製造に用いられる生体有機物を含む液体
（４）精密ピペットとしての試料
（５）潤滑油
（６）樹脂液
（７）光通信素子等に用いられる微小半球レンズ（光学レンズ）などを形成するために紫外線硬化樹脂液等の透明樹脂液
（８）基板などをエッチングするために酸性又はアルカリ性のエッチング液を噴射する液体
（９）他の任意の微小量の液滴
であってもよい。これらの構成においても、各実施形態と同様の効果を奏する。
【００６９】
Ｅ８．変形例８：
実施形態および変形例において、ハードウェアによって実現されていた構成の一部をソフトウェアに置き換えるようにしてもよく、逆に、ソフトウェアによって実現されていた構成の一部をハードウェアに置き換えるようにしてもよい。また、本発明の機能の一部または全部がソフトウェアで実現される場合には、そのソフトウェア（コンピュータープログラム）は、コンピューター読み取り可能な記録媒体に格納された形で提供することができる。この発明において、「コンピューター読み取り可能な記録媒体」とは、フレキシブルディスクやＣＤ−ＲＯＭのような携帯型の記録媒体に限らず、各種のＲＡＭやＲＯＭ等のコンピューター内の内部記憶装置や、ハードディスク等のコンピューターに固定されている外部記憶装置も含んでいる。すなわち、「コンピューター読み取り可能な記録媒体」とは、データを一時的ではなく固定可能な任意の記録媒体を含む広い意味を有している。
【００７０】
本発明は、上述の実施形態および変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００７１】
１００…印刷制御装置、２００…記録装置、２００ａ…記録装置、２００ｂ…記録装置、２００ｃ…記録装置、２１０…供給ユニット、２２０…搬送ユニット、２２１…搬送ローラー、２３０…キャリッジ、２３１…記録部、２４０…キャリッジ移動ユニット、２４１…キャリッジガイド軸、２５０…操作パネル、２６０…トレー、２６０ａ…トレー、２６０ｂ…トレー、２７０…音源、２８０…検出部、２９０…給紙トレー、３００…制御ユニット、３１０…入出力インターフェイス、３２０…メモリー、３３０…ＣＰＵ、３３１…走査制御部、３３２…記録制御部、３３３…判定部、３３４…枚数判定部、３４０…ユニット制御回路、４００…貫通孔、４００ｂ…貫通孔、４１０…壁部、Ａ１…入力レベル、Ａ２…入力レベル、Ｄ１…主走査方向、Ｄ２…副走査方向、Ｐ…記録物、Ｐ…記録媒体、ｋ…カウント値、ｔｈ…閾値
【図１】
2017178537.tif 000003
【図２】
2017178537.tif 000004
【図３】
2017178537.tif 000005
【図４】
2017178537.tif 000006
【図５】
2017178537.tif 000007
【図６】
2017178537.tif 000008
【図７】
2017178537.tif 000009
【図８】
2017178537.tif 000010
【図９】
2017178537.tif 000011
【図１０】
2017178537.tif 000012
【図１１】
2017178537.tif 000013
【図１２】
2017178537.tif 000014
【図１３】
2017178537.tif 000015
【図１４】
2017178537.tif 000016
【図１５】
2017178537.tif 000017